(57)【要約】 【課題】  ＵＳ一体型の小便器の上方に形成された空間部に配置できるような、小型の薬剤供給装置を提供する。【解決手段】  ＵＳ一体型の小便器の上方に形成された収容部（２）に配置される薬剤供給装置であって、この薬剤供給装置は、フラッシュバルブ（１２）と小便器とを通水可能に接続するジョイント部材（１３）と、ジョイント部材から分岐流入する分岐洗浄水に固形薬剤を溶解させて排出する薬剤供給器（２１）とを有している。薬剤供給器は、分岐洗浄水を流入させる流入部（２１ｂ）と、この流入部より高い位置に形成され、薬剤供給器内に溜まった分岐洗浄水を排出する排出部（２１ｃ）とを有している。ジョイント部材は、分岐洗浄水を流入部に向かわせる第１の流水路（１３ｂ）と、この第１の流水路とは分離され、排出部から排出された分岐洗浄水が通る第２の流水路（１３ｃ）とを有している。【選択図】    図１  
2005036538.tif 000002
【特許請求の範囲】
【請求項１】
少なくとも洗浄水を小便器に供給するフラッシュバルブ部が収容される小便器内の収容部に配置される薬剤供給装置であって、
前記フラッシュバルブ部と前記小便器とを通水可能に接続するジョイント部材と、
前記ジョイント部材から分岐流入する分岐洗浄水に固形薬剤を溶解させて排出する薬剤供給器とを備え、
前記薬剤供給器は、前記分岐洗浄水を流入させる流入部と、この流入部より高い位置に形成され、前記薬剤供給器内に溜まった前記分岐洗浄水を排出する排出部とを有し、
前記ジョイント部材は、前記分岐洗浄水を前記流入部に向かわせる第１の流水路と、この第１の流水路とは分離され、前記排出部から排出された前記分岐洗浄水が通る第２の流水路とを有することを特徴とする薬剤供給装置。
【請求項２】
前記薬剤供給器に設けられた前記流入部は、内径を略３mmとする筒形状の部材であり、前記薬剤供給器に設けられた前記排出部は、内径を略６mmとする筒形状の部材であることを特徴とする請求項１に記載の薬剤供給装置。
【請求項３】
前記第２の流水路は、前記ジョイント部材に供給された洗浄水を前記小便器に通水させる通水路に延出していることを特徴とする請求項１又は２に記載の薬剤供給装置。
【発明の詳細な説明】
【技術分野】
【０００１】
本発明は、フラッシュバルブが収容される小便器内の上方に形成された収容部に配置される薬剤供給装置に関する。
【背景技術】
【０００２】
上記のような薬剤供給装置は、小便器に固形薬剤を溶解させた洗浄水を供給し、小便器への尿石の付着を防止するために使用される。
【０００３】
従来の薬剤供給装置を図５を用いて説明する。図５は、男性用の小便器に薬剤供給器を取り付けた状態を示す。
【０００４】
同図において、１０２は、小便器１０１に洗浄水を供給する主給水路であり、この主給水路１０２は図中上下方向に延びるように形成されている。１０３は主給水路１０２の途中から図中左右方向に延びるように形成された分岐管である。この分岐管１０３は、不図示の固形薬剤が収容された薬剤供給器１０４に接続されている(例えば、特許文献１参照)。
【０００５】
便器使用者が、用を足した後に、便器洗浄を指示する押しボタン式のスイッチ(不図示)を押すと洗浄水が主給水路１０２を下方に向かって流れ始める。主給水路１０２を流れる洗浄水の一部は、分岐管１０３へ分岐流入し、薬剤供給器１０４内に流入する。
【０００６】
薬剤供給器１０４内に流入した洗浄水は、前記固形薬剤を溶解した後、再び分岐管１０３を通って、小便器１０１に供給される。
【特許文献１】特許第３１１７６８１号公報
【発明の開示】
【発明が解決しようとする課題】
【０００７】
近年、小便器の見栄えをよくするなどの観点から、フラッシュバルブを小便器内の上方に設けられた収容部に収容した小便器(ＵＳ一体形小便器)が提案されており、このＵＳ一体型小便器は、公衆トイレなど様々な場所に設置されている。
【０００８】
しかしながら、従来例の薬剤供給器１０４は、上述のとおり小便器の外側に露出した主給水路１０２に接続するタイプのものであるため、ＵＳ一体型小便器には使用することができない。
【０００９】
即ち、該収容部は、スペースが狭いうえにフラッシュバルブや便器使用者が用を足したことを検出する検出部などがそこに配置されているため、従来例の薬剤供給器１０４を配置するスペースがないのである。
【００１０】
ここで、該収容部内のフラッシュバルブ部に分岐管を取り付けるとともに、該収容部の周壁部上に分岐管を通すための穴部を設け、従来例の薬剤供給器１０４を外付けするという方法もある。
【００１１】
しかし、これでは見栄えが悪くなり、ＵＳ一体型小便器の利点(見栄え)が損なわれる。
【００１２】
以上のような理由から、ＵＳ一体型の小便器では、薬剤供給器が設けられていなかった。そのため、小便器への便器洗浄が不十分となり、尿石の付着による異臭の発生という問題を引き起こすおそれがあった。
【００１３】
このような課題に鑑み、本発明の目的は、小便器の上方に形成された少なくともフラッシュバルブが収容される収容部に内蔵できる小便器の薬剤供給装置を提供することにある。
【課題を解決するための手段】
【００１４】
本発明は、少なくとも洗浄水を小便器に供給するフラッシュバルブ部が収容される小便器内の収容部に配置される薬剤供給装置であって、フラッシュバルブ部と小便器とを通水可能に接続するジョイント部材と、ジョイント部材から分岐流入する分岐洗浄水に固形薬剤を溶解させて排出する薬剤供給器とを備え、薬剤供給器は、分岐洗浄水を流入させる流入部と、この流入部より高い位置に形成され、薬剤供給器内に溜まった分岐洗浄水を排出する排出部とを有し、ジョイント部材は、分岐洗浄水を流入部に向かわせる第１の流水路と、この第１の流水路とは分離され、排出部から排出された分岐洗浄水が通る第２の流水路とを有することを特徴とする薬剤供給装置。
【００１５】
薬剤供給器に設けられた流入部を内径が略３mmの筒形状の構成するとともに、薬剤供給器に設けられた排出部を内径が略６mmの筒形状に構成してもよい。
【００１６】
また、第２の流水路を、ジョイント部材に供給された洗浄水を小便器に通水させる通水路に延出させるのが好ましい。
【発明の効果】
【００１７】
以上説明したように、本発明によれば、少なくともフラッシュバルブが配置される小便器内の上方に形成された収容部に、薬剤供給器を配置することができるため、ＵＳ一体型小便器の利点(見栄え)を損なうことはない。 
【発明を実施するための最良の形態】
【００１８】
本実施形態の小便器の薬剤供給装置について図１から図４を用いて説明する。ここで、図１は、小便器内の上方に形成された収容部の概略図であり、図２は、収容部に配置された薬剤供給装置１１の斜視図であり、図３は、フラッシュバルブ部を流れる洗浄水を薬剤供給装置に導くとともに薬剤供給装置から排出された洗浄水を小便器に導くジョイントの斜視図であり、図４は、フラッシュバルブが内蔵された小便器の斜視図である。
【００１９】
なお、通常の使用時において、収容部には図４に示す蓋部材１ｂが装着されており、収容部は小便器の外側から見えないようになっている。
【００２０】
まず、図１、図４を参照して小便器の収容部について説明する。収容部２は、小便器１内の上方に形成された空間部であって、この収容部２には、便器使用者が用を足した事を検出する検出部１１とこの検出部１１からの検出結果を受けて小便器に洗浄水を供給するフラッシュバルブ部１２とが設けられている。
【００２１】
このフラッシュバルブ部１２に設けられた筒形状の排出部１２１には、ジョイント１３が取り付けられており、このジョイント１３は、後述するゴム管(４２ｂ、４２ｃ)を介して薬剤供給器２１に接続されている。また、ジョイント１３の下端面は、パッキン(不図示)を介して、収容部２の底面に設けられた小便器１の内周側壁部１ａ(図４参照)と連通する通水孔(不図示)に取り付けられている。
【００２２】
次にジョイント１３の構成について図２を用いて詳細に説明する。ジョイント１３は、上端が塞がれ下端が開口した筒形状に構成されており、このジョイント１３の側面部には、フラッシュバルブ部１２の排出部１２１をねじ込むための雌ねじ部１３ａが形成されている。この雌ねじ部１３ａに排出部１２１をねじ込むことにより、フラッシュバルブ部１２とジョイント１３とが接続される。
【００２３】
１３ｃはＬ字状流入管であり、このＬ字状流入管１３ｃは、ジョイント１３の上端面からジョイント１３の径方向に延びる第１の流入管とこの第１の流入管に接続されジョイント１３内を通って前記径方向に直交する方向に延びる第２の流入管とにより構成されている。
【００２４】
Ｌ字状流入管１３ｃを構成する前記第１の流入管は、図１に示すゴム管４２ｃを介して後述する薬剤供給器２１の排出管２１ｃに接続されている。
【００２５】
また、Ｌ字状流入管１３ｃを構成する前記第２の流入管は、その先端部(下端部)がジョイント１３の下端面と略同一の位置に配置されるように構成されている。Ｌ字状流入管１３ｃの内径は、略６mmに形成されている。
【００２６】
また、ジョイント１３の側面部には、雌ねじ部１３ａに対して前記第２の流入管を挟んで対向する位置に流出管１３ｂが形成されている。
【００２７】
この流出管１３ｂは、内径が略３mmに構成されており、図１に示すゴム管４１ｂを介して後述する薬剤供給器２１の流入管２１ｂに接続されている。
【００２８】
次に、薬剤供給器２１の構成について図３を用いて詳細に説明する。薬剤供給器２１は、収容部３に配置された筐体形状の薬注器であって、この薬剤供給器２１の図中左側端部には、ジョイント１３の流出管１３ｂから排出された洗浄水を薬剤供給器２１内に流入させる流入管２１ｂとこの流入管２１ｂから流入した洗浄水を排出する排出管２１ｃとが設けられている。
【００２９】
排出管２１ｃは、流入管２１ｂより高い位置に形成されている。このような位置に配置した理由は後述する。
【００３０】
流入管２１ｂの先端部における外周側には、ゴム管４２ｂの抜けを防止するため凸状のバルジ部２１１ｂが形成されている。流入管２１ｂをゴム管４２ｂの中に挿入させると、ゴム管４２ｂの内周面とバルジ部２１１ｂとが係合し、ゴム管４１の抜けを防止することができる。
【００３１】
排出管２１ｃの先端部における外周側にも、流入管２１ｂと同様にゴム管４２ｃの内周面と係合するバルジ部２１１ｃが設けられている。
【００３２】
流入管２１ｂと排出管２１ｃの内径は、それぞれ略３mm、略６mmに形成されている。ここで、フラッシュバルブ１２からジョイント１３内に供給される洗浄水は、流速が早いため、例えば、流入管２１ｂ及び排出管２１ｃの内径を等しくした場合、薬剤供給装置２１内に洗浄水が過剰に溜まり、オーバーフローを起こすおそれがる。
【００３３】
しかしながら、本実施形態では、排出管２１ｃの内径が流入管２１ｂの内径よりも大きく構成されているため、オーバーフローを起こすことなく、洗浄水をスムーズに小便器１に供給することができる。
【００３４】
薬剤供給器２１の蓋部材２２には、後述する固形薬剤４１の出し入れ(交換)を行うための円盤形状の開閉蓋２２ａがねじ込まれている。
【００３５】
この開閉蓋２２ａは、後述する固形薬剤保持容器４２を通すために、水平方向の幅が固形薬剤保持容器４２よりも若干大きく構成されている。
【００３６】
開閉蓋２２ａの上面には、突起部２２ｂが形成されており、この突起部２２ｂを開閉蓋２２ａの短尺方向軸を回転軸として反時計周りに回動させることにより、開閉蓋２２ａを取り外すことができる。なお、開閉蓋２２ａを取り付ける時は、時計周りに開閉蓋２２ａを回動させて、蓋部材２２にねじ込めばよい。
【００３７】
ここで、薬剤供給器２１の蓋部材２２に、排出管２１ｂとは別に薬剤供給器２１内の洗浄水を排出する排出部を設け、この排出部とジョイント１３のＬ字状流入管１３ｃとを通水可能に接続しても良い。これにより、万一、薬剤供給器２１内に洗浄水が溜まりすぎた場合であっても、該排出部から洗浄水を排出することができるため、オーバーフローの発生を確実に防止することができる。
【００３８】
なお、図１に示すように、薬剤供給器２１は、フラッシュバルブ１２との干渉を避けるために、流入管２１ｂ及び排出管２１ｃから離れるにしたがい、流入管２１ｂの径方向の幅が短くなるように構成されている。
【００３９】
次に、薬剤供給器２１内に収容される固形薬剤について、図３を用いて説明する。固形薬剤４１は、円柱状に形成されており、固形薬剤４１とサイズを略等しくした有底円筒状の薬剤保持容器４２に保持されている。
【００４０】
固形薬剤４１は、ｐｈ４以上の洗浄水には溶解しないように構成されており、具体的には、アジピン酸を１０〜２０重量％、安息香酸を６０〜７０重量％、結合剤を５〜１５重量％、その他の界面活性剤及び腐食防止剤を５〜２５重量％含有したものを使用している。
【００４１】
薬剤保持容器４２の底面部には、薬剤保持容器４２を所定の高さに支持する凸状の支持部材(不図示)と洗浄水を薬剤保持容器４２内に通すための通水穴部(不図示)とが設けられている。また、薬剤保持部材４２の上側に設けられた開口部には、蓋部材４３が着脱可能に装着さる。
【００４２】
上述のように、固形薬剤４１を薬剤保持容器４２内に保持したのは、以下の理由による。即ち、洗浄水による溶解が進むと、固形薬剤４１はドロドロに変形してしまうため、固形薬剤交換の際に固形薬剤４１を直接手で掴むと、溶解した薬剤が手にこびり付き、不衛生となる。
【００４３】
本実施形態では、薬剤保持容器４２内に固形薬剤４１が収容されており、固形薬剤４１に直接触れなくても薬剤の交換をすますことができるため、衛生上の問題が生じにくい。  
【００４４】
次に、上述のようにして構成された小便器の薬剤供給装置の動作について説明する。
便器使用者が用をたしたことを小便器１の収容部２に配置された検出部１１が検出すると、不図示のタンク部からフラッシュバルブ部１２に洗浄水が供給される。            
【００４５】
フラッシュバルブ部１２に供給された洗浄水は、フラッシュバルブ部１２の排水部１２１から排出され、ジョイント１３内に流入する。ジョイント１３内に流入した洗浄水のうち、一部は前記通水孔を通ってそのまま小便器１の内周側壁部１ａに供給され、残りは(分岐洗浄水)流出管１３ｂを通ってジョイント１３の外側に流出する。
【００４６】
ここで、上述のようにジョイント１３の下端面と前記通水孔との間には、パッキンが挟まれているため、洗浄水が流出管１３ｂ以外の箇所からジョイント１３の外側に漏れ出すことはない。
【００４７】
流出管１３ｂから流出した洗浄水は、ゴム管４２ｂ、流入管２１ｂの順序で移動し、薬剤供給器２１内に流入する。
【００４８】
薬剤供給器２１内の洗浄水の水深が、薬剤保持容器４２の底面部に形成された前記支持部材の高さにまで達すると、この底面部に形成された前記穴部から洗浄水が進入し、薬剤保持容器４２内の固形薬剤４１が溶解する。
【００４９】
そして、洗浄水の水位が更に増加して、排出管２１ｃの高さにまで達すると、排出管２１ｃから濃度を約ｐｈ４とする洗浄水が排出される。
【００５０】
排出管２１ｃから排出された洗浄水は、ゴム管４２ｃを介してＬ字状流入管１３ｃに流入する。ここで、上述のようにＬ字状流入管１３ｃを構成する前記第２の流入管は、ジョイント１３ｃの径方向に直交する方向に延びるように配置され、その延長上には前記通水孔が形成されている。したがって、Ｌ字状流入管１３ｃに流入した洗浄水は、前記通水孔を通って、小便器の内周壁部１ａに供給される。
【００５１】
このように、本実施形態では、洗浄水を薬剤供給器２１に流入させる流入路と薬剤供給器２１内の洗浄水を小便器に流入させる流入路とを別々に設けている。このような構成によれば、洗浄水が薬剤供給器２１に流入している最中に、洗浄水を小便器に供給することができる。
【００５２】
これにより、薬剤供給器２１を従来例より小型化しても、オーバーフローが生じるおそれはなく、十分な量の洗浄水を小便器に供給することができる。
【００５３】
また、薬剤供給器２１は、収容部２に収容されており、この収容部２には、通常の使用時において蓋部材１ｂが装着されている。したがって、薬剤供給器２１を小便器の外側から視認できないように配置できるため、小便器の見栄えがよくなり、ＵＳ一体型小便器の利点(見栄え)が損なわれることはない。
【００５４】
小便器に供給された洗浄水は、小便器の内側壁部１ａを洗浄しながら、小便器の排水部に設けられたトラップ部(不図示)に流入し、該トラップ部の洗浄水と混ざることにより、ｐｈ５程度の濃度に薄められる。
【００５５】
ここで、前記トラップ部に付着した尿石の除去は、約ｐｈ５の水溶液で行うのが好ましいと考えられている。したがって、本実施形態の薬剤供給装置によれば、トラップ部への尿石の付着が防止され、悪臭の発生を押さえることができる。
【図面の簡単な説明】
【００５６】
【図１】小便器内の上方に形成された収容部の概略図
【図２】収容部に配置された薬剤供給装置の斜視図
【図３】ジョイントの斜視図
【図４】フラッシュバルブが内蔵された小便器の斜視図
【図５】従来例の小便器薬剤供給装置の概略図
【符号の説明】
【００５７】
１  小便器
２  収容部  
１１  検出部  
１２  フラッシュバルブ
１３  ジョイント
２１  薬剤供給器
【図１】
2005036538.tif 000003
【図２】
2005036538.tif 000004
【図３】
2005036538.tif 000005
【図４】
2005036538.tif 000006
【図５】
2005036538.tif 000007